(57)【要約】【課題】  液体用容器内に差し込んだ注出ポンプの先端の位置を容易に且つ確実に位置決めし、注出後の液体用容器内に残存する液体を最少にすることを可能にした液体用容器からの液体注出装置を得る。【解決手段】  上面部中央に吸い出し口１０２を有し、底部１０３が中心を最深部Ｄとする錐形に形成した液体用容器１００の底部を支持する支持体２と、液体用容器１００の外周に嵌合し、先端部３を支持体２に係止可能とした蓋体４と、蓋体４の頂面部５に設けられ、蓋体４の液体用容器１００の外周への嵌合により、吸い出し口１０２から液体用容器１００内へ吸い込み管６を差し込む注出ポンプ７とからなり、液体用容器１００の外周に嵌合した蓋体４の先端部３が支持体２に係止した位置で、液体用容器１００の垂直方向の位置を、吸い込み管６０の先端６ａが液体用容器１００の底部１０３の錐形内に位置するように位置決めする位置決め手段８を備えた。【選択図】    図１
2019123530.tif 000002
【特許請求の範囲】
【請求項１】
上面部中央に吸い出し口を有し、底部が中心を最深部とする錐形に形成され、内部に液体を収容した液体用容器の前記底部を収納し支持する支持体と、前記支持体に支持された液体用容器の外周に上部から嵌合して内部に前記液体用容器を収納し、その先端部を前記支持体に係止可能とした蓋体と、前記蓋体の頂面部に設けられ、前記支持体に支持されている前記液体用容器の吸い出し口から前記液体用容器内に吸い込み管を差し込んで液体を吸い込み外部へ吐出する注出ポンプとからなり、前記蓋体を前記液体用容器の外周に上部から嵌合したとき、前記注出ポンプの前記吸い込み管が前記液体用容器の前記吸い出し口に差し込まれるようになっている液体用容器からの液体注出装置であって、
前記支持体に支持された液体用容器の外周に嵌合した蓋体の先端部が前記支持体に係止した位置で、前記支持体に収納されている前記液体用容器の垂直方向の位置を、前記液体用容器の前記吸い出し口から差し込まれた前記注出ポンプの前記吸い込み管の先端が前記液体用容器の前記底部の錐形内に位置するように位置決めする位置決め手段が備えられていることを特徴とする液体用容器からの液体注出装置。
【請求項２】
前記支持体は、前記液体用容器の前記底部を収納して前記液体用容器を垂直方向に支持する支持枠部と、前記支持枠部内に、前記支持枠部の内壁から中心方向へ突出するように設けられ、その上面に前記支持枠部に収納された前記液体用容器の前記底部の外周端縁を当接させる台座を備えており、前記支持枠部はその上端部が、前記支持枠部に支持された前記液体用容器の外周に嵌合した前記蓋体の先端部に係止可能となっており、前記蓋体の先端部と前記支持枠部の上端部と前記台座の上面とで前記位置決め手段を構成していることを特徴とする請求項１に記載の液体用容器からの液体注出装置。
【請求項３】
前記支持体は、前記液体用容器の前記底部を収納して前記液体用容器を垂直方向に支持する支持枠部と、前記支持枠部内に、前記支持枠部の内壁から中心方向へ突出するように設けられ、その上面に前記支持枠部に収納された前記液体用容器の前記底部の外周端縁を当接させる台座を備えており、前記蓋体は、前記液体用容器を支持している前記支持枠部の外周に、前記液体用容器とともに嵌合可能となっており、前記支持枠部の外面側には、前記蓋体の先端部を係止可能な係止段部が形成されており、前記蓋体の先端部と前記支持枠部の係止段部と前記台座の上面とで前記位置決め手段を構成していることを特徴とする請求項１に記載の液体用容器からの液体注出装置。
【請求項４】
前記支持体は、前記液体用容器の前記底部を収納して前記液体用容器を垂直方向に支持する支持枠部と、前記支持枠部内に、前記支持枠部の内壁から中心方向へ突出するように設けられ、その上面に前記支持枠部に収納された前記液体用容器の前記底部の外周端縁を当接させる台座と、前記支持枠部を上面に立設させる支持台を備えており、前記蓋体は、弾性変形可能な材料で形成され、前記液体用容器を支持している前記支持台の外周に、前記支持枠部、前記液体用容器とともに嵌合可能となっており、また、前記蓋体の先端側の内側面に凸部が形成され、前記支持台の外側面には、前記蓋体の先端側の内側面に形成された凸部が係脱可能な凹部が形成されており、前記蓋体の先端側の内側面に形成された凸部と前記支持台の外側面に形成された凹部とで前記位置決め手段を構成していることを特徴とする請求項１に記載の液体用容器からの液体注出装置。
【請求項５】
前記台座の上面は、中心方向に向かって下向き傾斜しており、水平方向に対するその傾斜角は、前記錐形に形成されている前記液体用容器の前記底部の傾斜角と同じ或いは前記底部の傾斜角より大きい角度となっていることを特徴とする請求項２から４までのいずれか１に記載の液体用容器からの液体注出装置。
【請求項６】
前記台座は複数の台座片からなり、前記支持枠部内に、周方向に所定の間隔を空けて起立させて配置されており、その上辺が前記台座の上面となっていることを特徴とする請求項２から５までのいずれか１に記載の液体用容器からの液体注出装置。
【請求項７】
前記支持枠部は、前記支持枠部の内壁に接している前記台座から上方に突出している高さが、前記液体用容器の胴部高さの５％以上且つ前記液体用容器の胴部高さを超えない高さであることを特徴とする請求項２から６までのいずれか１に記載の液体用容器からの液体注出装置。
【発明の詳細な説明】
【技術分野】
【０００１】
本発明は、化粧品や洗剤などの液体を収容している液体用容器から液体を注出する液体注出装置に関する。
【背景技術】
【０００２】
化粧品や洗剤などの液体を収容している液体用容器から液体を注出する手段として、上面部に吸い出し口を有し内部に液体を収容した液体用容器の底部を支持する支持体と、支持体に支持された液体用容器の外周に上部から嵌合して内部に液体用容器を収納する蓋体と、蓋体の頂面部に設けられた透孔を通して、支持体に支持されている前記液体用容器の吸い出し口から液体用容器内に吸い込み管を差し込んで液体を吸い込み外部へ吐出する注出ポンプとを備えた液体注出装置がある（例えば、特許文献１、２参照。）。
【０００３】
液体用容器からの液体注出装置にあっては、できるだけ液体用容器から最後の液体まで吸い出すことが望まれるが、特許文献１、２に記載されている液体用容器からの液体注出装置では、このような配慮は全くなされていない。液体用容器から最後の液体まで吸い出すためには、液体用容器内の液体を底部の１箇所に集め、その場所に注出ポンプの吸い込み管の先端が位置するようにすることが考えられる。
【０００４】
このような液体注出装置として、対象となる液体用容器の形状を、頭部、角柱状の胴部及び逆切妻屋根状の底部からなるものとし、液体用容器の底部を安定部材で支持し、頭部に注出ポンプを、該頭部に設けられた打ち抜き孔から注出ポンプのノズルを液体用容器内に差し込んで固定するようにしたものが開示されている（例えば、特許文献３参照。）。
特許文献３に記載された液体注出装置では、注出ポンプのノズルが可撓性のある材質で形成され、そして、ノズルの長さが、注出ポンプを液体用容器の頭部に固定したとき、その先端が逆切妻屋根状の底部に当接し先端部分が撓む長さとなっている。
【先行技術文献】
【特許文献】
【０００５】
【特許文献１】特開平７−３３０００３号公報
【特許文献２】実公平７−３８１７３号公報
【特許文献３】特開平１０−１４７３３５号公報
【発明の概要】
【発明が解決しようとする課題】
【０００６】
特許文献３に記載された液体用容器からの液体注出装置では、対象となる液体用容器の底部が逆切妻屋根状となっており、注出ポンプを液体用容器の頭部に固定したとき、その先端が逆切妻屋根状の底部に当接し先端部分が撓む長さとなっているので、ノズルの先端が逆切妻屋根状の底部に当接する位置によって先端部分の撓み方が一定しない。この結果、ノズルの先端に開口する吸い込み口の位置も一定せず、注出ポンプによる液体注出後の液体用容器内に、想定以上の量の液体が残ってしまう場合がある。
【０００７】
また、注出ポンプは液体用容器の液体の注出に繰り返し使用されるが、繰り返しの使用によりノズルの先端部に撓み癖がつき、ノズルの先端に開口する吸い込み口の位置が液体用容器の底部から離れてしまい、注出ポンプによる液体注出後の液体用容器内に、想定以上の量の液体が残ってしまう場合がある。
【０００８】
また、液体用容器には、頭部に設けられた打ち抜き孔が破断可能なフィルムで封止されている液体用容器がある。かかる液体用容器から液体を注出する液体注出装置として、注出ポンプのノズルを可撓性のない材質で形成し、その先端部を尖った形状に形成し、打ち抜き孔を封止しているフィルムにノズルを、その先端部を突き刺し破断して液体用容器内に差し込むようにした液体注出装置があるが（例えば、実開平７−４５０８８号公報参照。）、このような打ち抜き孔がフィルムで封止されている液体用容器からの液体の注出に、特許文献３に記載された液体注出装置は使用できない。
【０００９】
本発明の目的は、液体用容器内に差し込んだ注出ポンプの先端の位置を容易に且つ確実に位置決めし、注出後の液体用容器内に残存する液体を最少にすることを可能にした液体用容器からの液体注出装置を提供することにある。
【課題を解決するための手段】
【００１０】
上記の目的を達成するために、請求項１に記載の発明は、上面部中央に吸い出し口を有し、底部が中心を最深部とする錐形に形成され、内部に液体を収容した液体用容器の前記底部を収納し支持する支持体と、前記支持体に支持された液体用容器の外周に上部から嵌合して内部に前記液体用容器を収納し、その先端部を前記支持体に係止可能とした蓋体と、前記蓋体の頂面部に設けられ、前記支持体に支持されている前記液体用容器の吸い出し口から前記液体用容器内に吸い込み管を差し込んで液体を吸い込み外部へ吐出する注出ポンプとからなり、前記蓋体を前記液体用容器の外周に上部から嵌合したとき、前記注出ポンプの前記吸い込み管が前記液体用容器の前記吸い出し口に差し込まれるようになっている液体用容器からの液体注出装置であって、前記支持体に支持された液体用容器の外周に嵌合した蓋体の先端部が前記支持体に係止した位置で、前記支持体に収納されている前記液体用容器の垂直方向の位置を、前記液体用容器の前記吸い出し口から差し込まれた前記注出ポンプの前記吸い込み管の先端が前記液体用容器の前記底部の錐形内に位置するように位置決めする位置決め手段が備えられていることを特徴とする。
【００１１】
請求項１に記載の発明によれば、前記支持体に支持された液体用容器の外周に嵌合した前記蓋体の先端部が前記支持体に係止した位置で、前記支持体に収納されている前記液体用容器の垂直方向の位置を、前記液体用容器の前記吸い出し口から差し込まれた前記注出ポンプの前記吸い込み管の先端が前記液体用容器の前記底部の錐形内に位置するように前記位置決めする位置決め手段が備えられているので、前記支持体に支持された前記液体用容器の外周に前記蓋体を嵌合し、前記蓋体の先端部を前記支持体に係止させることにより、前記蓋体の前記液体用容器の外周への嵌合に伴って、前記支持体に支持されている前記液体用容器の前記吸い出し口から前記液体用容器内に差し込まれた前記注出ポンプの前記吸い込み管の先端は、底部の最深部方向へ向かって進み、前記支持体の内部に備えられた前記位置決め手段により、前記液体用容器の前記底部の錐形内に位置するように位置決めされる。
これにより、前記注出ポンプにより吸い出され減少し、そして前記液体用容器の前記底部の錐形内に集まった液体は、前記底部の錐形内に位置する前記注出ポンプの前記吸い込み管の先端から吸い込まれて注出されるので、注出後の前記液体用容器内に残存する液体を最少にすることができる。
【００１２】
請求項２に記載の発明は、請求項１に記載の、前記支持体は、前記液体用容器の前記底部を収納して前記液体用容器を垂直方向に支持する支持枠部と、前記支持枠部内に、前記支持枠部の内壁から中心方向へ突出するように設けられ、その上面に前記支持枠部に収納された前記液体用容器の前記底部の外周端縁を当接させる台座を備えており、前記支持枠部はその上端部が、前記支持枠部に支持された前記液体用容器の外周に嵌合した前記蓋体の先端部に係止可能となっており、前記蓋体の先端部と前記支持枠部の上端部と前記台座の上面とで前記位置決め手段を構成していることを特徴とする。
【００１３】
請求項２に記載の発明によれば、前記支持枠部内に前記液体用容器の前記底部を収納し、前記液体用容器の前記底部の外周端縁を前記支持枠部内に備えられた台座に当接させ、そして、前記支持枠部内に収納されている前記液体用容器の外周に前記蓋体を嵌合し、前記蓋体の先端部を前記支持枠部の上端部に係止させるといった簡単な作業により、前記液体用容器の垂直方向の位置を、前記液体用容器の前記吸い出し口から差し込まれた前記注出ポンプの前記吸い込み管の先端が前記液体用容器の前記底部の錐形内に位置するように位置決めすることができる。
【００１４】
請求項３に記載の発明は、請求項１に記載の、前記支持体は、前記液体用容器の前記底部を収納して前記液体用容器を垂直方向に支持する支持枠部と、前記支持枠部内に、前記支持枠部の内壁から中心方向へ突出するように設けられ、その上面に前記支持枠部に収納された前記液体用容器の前記底部の外周端縁を当接させる台座を備えており、前記蓋体は、前記液体用容器を支持している前記支持枠部の外周に、前記液体用容器とともに嵌合可能となっており、前記支持枠部の外面側には、前記蓋体の先端部を係止可能な係止段部が形成されており、前記蓋体の先端部と前記支持枠部の係止段部と前記台座の上面とで前記位置決め手段を構成していることを特徴とする。
【００１５】
請求項３に記載の発明によれば、前記支持枠部内に前記液体用容器の前記底部を収納し、前記液体用容器の前記底部の外周端縁を前記支持枠部内に備えられた台座に当接させ、そして、前記支持枠部内に収納されている前記液体用容器の外周に前記蓋体を嵌合し、さらに前記支持枠部の外周に嵌合して、前記蓋体の先端部を前記支持枠部の外面側に形成されている係止段部に係止させるといった簡単な作業により、前記液体用容器の垂直方向の位置を、前記液体用容器の前記吸い出し口から差し込まれた前記注出ポンプの前記吸い込み管の先端が前記液体用容器の前記底部の錐形内に位置するように位置決めすることができる。
また、前記蓋体を前記支持枠部の外周に嵌合するので、前記蓋体と前記支持枠部とが一体化した状態となり、前記注出ポンプによる前記液体用容器からの液体の注出を安定した状態で容易に行うことができる。
【００１６】
請求項４に記載の発明は、請求項１に記載の、前記支持体は、前記液体用容器の前記底部を収納して前記液体用容器を垂直方向に支持する支持枠部と、前記支持枠部内に、前記支持枠部の内壁から中心方向へ突出するように設けられ、その上面に前記支持枠部に収納された前記液体用容器の前記底部の外周端縁を当接させる台座と、前記支持枠部を上面に立設させる支持台を備えており、前記蓋体は、弾性変形可能な材料で形成され、前記液体用容器を支持している前記支持台の外周に、前記支持枠部、前記液体用容器とともに嵌合可能となっており、また、前記蓋体の先端側の内側面に凸部が形成され、前記支持台の外側面には、前記蓋体の先端側の内側面に形成された凸部が係脱可能な凹部が形成されており、前記蓋体の先端側の内側面に形成された凸部と前記支持台の外側面に形成された凹部とで前記位置決め手段を構成していることを特徴とする。
【００１７】
請求項４に記載の発明によれば、前記支持枠部内に前記液体用容器の前記底部を収納し、前記液体用容器の前記底部の外周端縁を前記支持枠部内に備えられた台座に当接させ、そして、前記支持枠部内に収納されている前記液体用容器の外周に前記蓋体を嵌合し、さらに前記支持台の外周に嵌合して、前記蓋体の先端側の内側面に形成されている凸部を前記支持台の外側面に形成されている前記凹部に係合させるといった簡単な作業により、前記液体用容器の垂直方向の位置を、前記液体用容器の前記吸い出し口から差し込まれた前記注出ポンプの前記吸い込み管の先端が前記液体用容器の前記底部の錐形内に位置するように位置決めすることができる。
また、前記蓋体を前記支持台の外周に嵌合するので、前記蓋体と前記支持枠部とが一体化した状態となり、前記注出ポンプによる前記液体用容器からの液体の注出を安定した状態で容易に行うことができる。
【００１８】
請求項５に記載の発明は、請求項２から４までのいずれか１に記載の、前記台座の上面は、中心方向に向かって下向き傾斜しており、水平方向に対するその傾斜角は、前記錐形に形成されている前記液体用容器の前記底部の傾斜角と同じ或いは前記底部の傾斜角より大きい角度となっていることを特徴とする。
【００１９】
請求項５に記載の発明によれば、前記台座の上面は、中心方向に向かって下向き傾斜しており、水平方向に対するその傾斜角は、前記錐形に形成されている前記液体用容器の前記底部の傾斜角と同じ或いは前記底部の傾斜角より大きい角度となっているので、前記液体用容器が紙容器で、収容している液体の重みにより前記底面が膨出方向への変形が働いても、前記底面が前記台座の上面に受けられて膨出方向への変形が阻止されることになる。これにより前記液体用容器の底部の錐形の変化が抑えられ、その最深部の位置の変化も抑えられることになり、前記液体用容器の前記吸い出し口から差し込まれた前記注出ポンプの前記吸い込み管の先端が前記液体用容器の前記底部の錐形内に位置するように確実に位置決めすることができる。
【００２０】
請求項６に記載の発明は、請求項２から５までのいずれか１に記載の、前記台座は複数の台座片からなり、前記支持枠部内に、周方向に所定の間隔を空けて起立させて配置されており、その上辺が前記台座の上面となっていることを特徴とする。
【００２１】
請求項６に記載の発明によれば、前記台座は複数の台座片からなり、前記支持枠部内に、周方向に所定の間隔を空けて起立させて配置されており、その上辺が前記台座の上面となっているので、上面を中心方向に向かって下向き傾斜させた前記台座を容易に形成することができる。
【００２２】
請求項７に記載の発明は、請求項２から６までのいずれか１に記載の、前記支持枠部は、前記支持枠部の内壁に接している前記台座から上方に突出している高さが、前記液体用容器の胴部高さの５％以上且つ前記液体用容器の胴部高さを超えない高さであることを特徴とする。
【００２３】
請求項７に記載の発明によれば、前記支持枠部は、前記支持枠部の内壁に接している前記台座から上方に突出している高さが、前記液体用容器の胴部高さの５％以上且つ前記液体用容器の胴部高さを超えない高さであるので、前記支持枠部内に収納した前記液体用容器を、前記台座から上方に突出している前記支持枠部の内壁により確実に垂直方向に誘導し且つ垂直方向に保持することができ、前記支持枠部内に収納した前記液体用容器の前記底部の外周端縁が前記支持枠部内に備えられた台座に確実に当接させることができる。
これにより、前記液体用容器の垂直方向の位置を、前記液体用容器の前記吸い出し口から差し込まれた前記注出ポンプの前記吸い込み管の先端が前記液体用容器の前記底部の錐形内に位置するように容易に且つ確実に位置決めすることができる。
【発明の効果】
【００２４】
本発明に係る液体用容器からの液体注出装置によれば、上面部中央に吸い出し口を有し、底部が中心を最深部とする錐形に形成され、内部に液体を収容した液体用容器からの液体の注出に際し、液体用容器内に差し込んだ注出ポンプの吸い込み管の先端を液体用容器の底部の錐形内に容易に且つ確実に位置するように位置決めすることができるので、注出後の液体用容器内に残存する液体を最少にすることができ、液体の無駄を極力防止することができる。
【図面の簡単な説明】
【００２５】
【図１】本発明に係る液体用容器からの液体注出装置の実施の形態の第１例を示す分解断面図である。
【図２】図１に示す液体注出装置における支持体を示す拡大斜視図である。
【図３】図１に示す液体注出装置における支持体と、支持体に支持された液体用容器との関係を示す説明図である。
【図４】本発明で液体が注出される液体用容器の一例を示す斜視図である。
【図５】図４のＡ−Ａ断面図である。
【図６】図４に示す液体用容器の組み立て加工前のカートンブランクを示す展開図である。
【図７】図４に示す液体用容器の上面部を形成する工程を示す説明図である。
【図８】図４に示す液体用容器の上面部を形成する工程を示す説明図である。
【図９】図１に示す液体注出装置における支持体に支持された液体用容器の外周に嵌合した蓋体の先端部が支持体に係止した状態を示す説明図である。
【図１０】本発明に係る液体用容器からの液体注出装置の実施の形態の第２例を示す分解断面図である。
【図１１】図１０に示す液体注出装置における支持体を示す拡大斜視図である。
【図１２】図１０に示す液体注出装置における支持体に支持された液体用容器の外周に嵌合した蓋体の先端部が支持体に係止した状態を示す説明図である。
【図１３】本発明に係る液体用容器からの液体注出装置の実施の形態の第３例を示す分解断面図である。
【図１４】図１３に示す液体注出装置における支持体を示す拡大斜視図である。
【図１５】図１３に示す液体注出装置における支持体に支持された液体用容器の外周に嵌合した蓋体の先端部が支持体に係止した状態を示す説明図である。
【発明を実施するための形態】
【００２６】
以下、本発明に係る液体用容器からの液体注出装置の実施の形態の一例を図面を参照して詳細に説明する。
図１乃至図９は、本発明に係る液体用容器からの液体注出装置の実施の形態の第１例を示すものであり、図１は第１例の液体注出装置の分解断面図、図２は図１に示す液体注出装置における支持体を示す拡大斜視図、図３は図１に示す液体注出装置における支持体と、支持体に支持された液体用容器との関係を示す説明図、図４は本発明で液体が注出される液体用容器の一例を示す斜視図、図５は図４のＡ−Ａ断面図、図６は図４に示す液体用容器の組み立て加工前のカートンブランクを示す展開図、図７は図４に示す液体用容器の上面部を形成する工程を示す説明図、図８は図４に示す液体用容器の上面部を形成する工程を示す説明図、図９は図１に示す液体注出装置における支持体に支持された液体用容器の外周に嵌合した蓋体の先端部が支持体に係止した状態を示す説明図である。
【００２７】
第１例の液体注出装置１は、上面部１０１の中央に吸い出し口１０２を有し、底部１０３が中心を最深部Ｄとする錐形に形成され、内部に液体を収容した液体用容器１００の底部１０３を収納し支持する支持体２と、支持体２に支持された液体用容器１００の外周に上部から嵌合して内部に液体用容器１００を収納し、その先端部３を支持体２に係止可能とした蓋体４と、蓋体４の頂面部５に設けられ、支持体２に支持されている液体用容器１００の吸い出し口１０２から液体用容器１００内に吸い込み管６を差し込んで液体を吸い込み外部へ吐出する注出ポンプ７とからなり、蓋体４を液体用容器１００の外周に上部から嵌合したとき、注出ポンプ７の吸い込み管６が液体用容器１００の吸い出し口１０２に差し込まれるようになっている。
【００２８】
そして、支持体２に支持された液体用容器１００の外周に嵌合した蓋体４の先端部３が支持体２に係止した位置で、支持体２に収納されている液体用容器１００の垂直方向の位置を、液体用容器１００の吸い出し口１０２から差し込まれた注出ポンプ７の吸い込み管６の先端６ａが液体用容器１００の底部１０３の錐形内に位置するように位置決めする位置決め手段８が備えられている。
【００２９】
支持体２について説明すると、支持体２は、底部１０３が中心を最深部Ｄとする錐形に形成された液体用容器１００の底部１０３を収納し支持できるものであれば、その形状及び材質に特に限定されない。
【００３０】
第１例の支持体２は、図２に示すように、上部に収納口９を開口し、液体用容器１００の底部１０３を収納して液体用容器１００を垂直方向に支持する支持枠部１０と、支持枠部１０内に、支持枠部１０の内壁から中心方向へ突出するように設けられ、支持枠部１０に収納された液体用容器１００を、その底部１０３の外周端縁１０４を上面１１に当接させて支持する台座１２を備えている。
【００３１】
支持枠部１０の形状は、液体用容器１００が支持枠部１０内に納まる形状となっており、液体用容器１００の外形に応じた形状に形成されている。第１例で使用される液体用容器１００は後述するように、胴部断面形状が略正方形となっており、支持枠部１０の形状も略正方形となっている。
【００３２】
また、支持枠部１０は支持台１３の上面に液体用容器１００の外面に沿う複数の支持枠片１０ａを間隔を空けて立設した構成となっており、第１例では液体用容器１００のそれぞれの角部外面に沿うように設けられている。
【００３３】
また、支持枠部１０内に設けられた台座１２は、その上面１１が中心方向に向かって下向き傾斜しており、水平方向に対するその傾斜角θ１は、錐形に形成されている液体用容器１００の底部１０３の傾斜角θ２と同じ或いは底部１０３の傾斜角θ２より大きい角度となっている。第１例では、台座１２の上面１１の水平方向に対する傾斜角θ１は、液体用容器１００の底部１０３の傾斜角θ２より僅かに大きい角度となっている（図３参照。）。
【００３４】
また、支持枠片１０ａで構成される支持枠部１０内に設けられた台座１２は、複数の台座片１２ａからなり、支持枠部１０内に、周方向に所定の間隔を空けて起立させて配置されており、その上辺が台座１２の上面１１となっている
【００３５】
第１例では、台座１２を構成する台座片１２ａは、支持枠部１０を構成する各支持枠片１０ａの内壁に台座片１２ａの外側縦辺が固定されている。台座片１２ａの外側縦辺の高さＨ１は、少なくとも、台座片１２ａの上面１１に液体用容器１００の底部１０３の外周端縁１０４が当接して支持されたとき、底部１０３の先端のシール部１０５が支持台１３に当接しない高さとなっている（図３参照。）。
【００３６】
また、支持体２にあって、支持枠部１０は、支持枠部１０の内壁に接している台座１２から上方に突出している突出部分１０Ａの高さＨ２が、液体用容器１００の胴部１０７の高さＨ３の５％以上で且つ液体用容器１００の胴部１０７の高さＨ３を超えない、または同じ高さとなっている（図３参照）。
【００３７】
次に、蓋体４について説明すると、第１例の蓋体４は、頂面部５と、支持体２に支持されている液体用容器１００の外周に上部から嵌合して内部に液体用容器１００を収納する筒壁部１４とで構成されており、筒壁部１４を液体用容器１００の外周に上部から嵌合したとき、その先端部３が支持体２に備えられている支持枠部１０の上端部１５に係止可能となっている。
【００３８】
そして、蓋体４の筒壁部１４の先端部３と支持体２に備えた支持枠部１０の上端部１５と台座１２の上面１１とで、支持体２に支持された液体用容器１００の垂直方向の位置を、蓋体４の筒壁部１４を支持体２に支持されている液体用容器１００に上部から嵌合したとき、吸い込み管６の先端６ａが液体用容器１００の底部１０３の錐形内に位置するように位置決めする位置決め手段８を構成している。
【００３９】
次に、支持体２に支持された液体用容器１００から液体を吸い込み外部へ吐出する注出ポンプ７について説明する。
注出ポンプ７は、筒状シリンダ部１６と、筒状シリンダ部１６の上部に設けられ、筒状シリンダ部１６内に摺動自在に嵌合するピストンの操作部を兼ねる注出ノズル１７と、筒状シリンダ部１６の下部に設けられた吸い込み管６で構成されている。
【００４０】
このように構成され注出ポンプ７は、筒状シリンダ部１６が蓋体４の頂面部５に貫通して固定され、頂面部５の上面側に注出ノズル１７が配置され、頂面部５の下面側に吸い込み管６が配置されており、蓋体４を液体用容器１００の外周に上部から嵌合したとき、注出ポンプ７の吸い込み管６が液体用容器１００の吸い出し口１０２に差し込まれるようになっている。
【００４１】
第１例で使用される液体用容器１００は後述するように、上面部１０１の中央に有する吸い出し口１０２は、封止シート１０６で封止されており、蓋体４を液体用容器１００の外周に上部から嵌合したとき、注出ポンプ７の吸い込み管６が封止シート１０６を破断して吸い出し口１０２から液体用容器１００内へ差し込まれるようになっている。
【００４２】
そして、注出ポンプ７の吸い込み管６の長さにあっては、蓋体４の筒壁部１４を支持体２に支持されている液体用容器１００に上部から嵌合し、位置決め手段８を構成する筒壁部１４の先端部３が支持体２に備えられている支持枠部１０の上端部１５に係止したとき、当該位置で、吸い込み管６の先端６ａが液体用容器１００の底部１０３の錐形内に位置する長さに設定されている。第１例では、吸い込み管６の先端６ａが液体用容器１００の底部１０３の錐形内の最深部Ｄに位置する長さに設定されている。
【００４３】
次に、第１例で使用される液体用容器１００について説明すると、液体用容器１００は、胴部１０７の断面形状が略正方形となっており、支持体２内に納まる形状となっている。
なお、液体用容器１００の断面形状は、略正方形に限定せず多角形や円形、楕円形であってもよく、支持体２と蓋体４に収納可能な形状であればよい。
【００４４】
液体用容器１００は、少なくとも片面に樹脂層を形成した紙素材からなり、胴部縦折線１０８，１０９，１１０を介して４つの胴部パネル１１１，１１２，１１３，１１４を備え、胴部パネル１１４にシール縦折線１１５を介して連設した縦方向シールパネル１１６によって胴部パネル１１１の縁部が接合されて四角の筒状に形成された胴部１０７を有している。
【００４５】
液体用容器１００の上面部１０１にあっては次のように構成されている。胴部パネル１１１，１１３の上端に、頂部横折線１１７，１１８を介して互いに対向し上下に重ねられる一対の上面部形成パネル１１９，１２０が連設され、そして、上面部形成パネル１１９の下側に重なる上面部形成パネル１２０の上端には、上面部形成パネル１１９の内面にシールされるシールパネル１２１が連設されている。
【００４６】
また、胴部パネル１１２，１１４の上端に、前記した一対の上面部形成パネル１１９，１２０の間に位置して互いに対向し、一対の上面部形成パネル１１９，１２０の重ね合わせに伴って折り畳まれる一対の側面パネル１２２，１２３が、頂部横折線１２４，１２５を介して連設されている。
【００４７】
また、上面部形成パネル１１９，１２０には、それぞれの中央に位置して吸い出し口１０２となる穴１２６ａ，１２６ｂが形成されており、穴１２６ａ，１２６ｂは上面部形成パネル１１９，１２０を重ねたとき穴１２６ａと穴１２６ｂの中心が一致するように開口している。そして、上面部形成パネル１２０の裏面には、封止シート１０６が穴１２６ｂを塞ぐように設けられており、注出ポンプ７の吸い込み管６を突き刺すことにより破断できるようになっている。
【００４８】
封止シート１０６は、上面部形成パネル１２０の裏面に貼付されて設けられてもよく、液体用容器１００を構成する樹脂層を形成した紙素材に積層された積層物と一体となって設けられてもよい。また、封止シート１０６は、不透水であり、かつ破断可能であれば、その材質に特に限定されるものではない。封止シート１０６としては、樹脂膜、金属箔、紙、またはそれらの積層体が例示される。
【００４９】
上面部形成パネル１１９，１２０と側面パネル１２２，１２３とによる液体用容器１００の上面部１０１の形成にあっては、胴部１０７を形成した後、先ず、上面部形成パネル１２０を内側へ折り、これに伴うように、側面パネル１２２，１２３を三角形状に内面側へ折り畳み、胴部１０７の上側収納口を上面部形成パネル１２０で塞ぐ。そして、上面部形成パネル１２０の上端に連設されているシールパネル１２１を上面部形成パネル１１９の内面にＳ１の範囲でシールするとともに、上面部形成パネル１２０の両側縁を三角形状に折り畳んだ側面パネル１２２，１２３をＳ２の範囲でシールする（図７参照。）。
【００５０】
次に、側面パネル１２２，１２３を外側（図７で示す矢印方向。）に折り畳むようにして上面部形成パネル１１９を上面部形成パネル１２０の上に重ね（図８参照。）、折り畳まれて胴部１０７の外側へ突出した側面パネル１２２，１２３を下方（図８で示す矢印方向。）へ折り、胴部１０７へ接着等により固定して上面部１０１が形成される。
【００５１】
また、液体用容器１００の底部１０３にあっては、本例では次のように構成されている。
胴部パネル１１１，１１３の下端に、底部横折線１２７，１２８を介して互いに対向する一対の切妻屋根形底部形成パネル１２９，１３０が連設されている。切妻屋根形底部形成パネル１２９，１３０の下部には帯状の外側シールパネル１３１，１３２が連設されている。
【００５２】
また、胴部パネル１１２，１１４の下端に、底部横折線１３３，１３４を介して互いに対向する一対の妻壁形底部形成パネル１３５，１３６が連設されている。妻壁形底部形成パネル１３５，１３６の下部には外側シールパネル１３１，１３２よりも低い高さの帯状の内側シールパネル１３７，１３８が連設されている。
【００５３】
そして、切妻屋根形底部形成パネル１２９，１３０と妻壁形底部形成パネル１３５，１３６とによる底部１０３の形成にあっては、切妻屋根形底部形成パネル１２９，１３０間に妻壁形底部形成パネル１３５，１３６が折り込まれて、対向する外側シールパネル１３１，１３２の対向面同士がシールされるとともに、外側シールパネル１３１，１３２と内側シールパネル１３７，１３８との対向面同士および内側シールパネル１３７，１３８の対向面同士もまたシールされ、いわゆる逆切妻屋根状の四角錐形に形成されている（図４、図５参照。）。
【００５４】
このように構成された第１例の液体注出装置１による液体用容器１００からの液体の注出は次のようにして行われる。
先ず、支持体２に備えられている支持枠部１０に、内部に液体を収容した液体用容器１００の底部１０３を収納し、底部１０３の外周端縁１０４は支持枠部１０内に設けられている台座１２の上面１１に当接させ支持させる。
【００５５】
支持枠部１０は、支持枠部１０の内壁に接している台座１２から上方に突出している突出部分１０Ａの高さＨ２が、液体用容器１００の胴部１０７の高さＨ３の５％以上且つ液体用容器１００の胴部１０７の高さＨ３を超えない高さとなっているので、支持枠部１０に収納された液体用容器１００は、突出部分１０Ａの内壁により垂直方向に誘導され、且つ垂直方向に保持されるとともに、底部１０３の外周端縁１０４は支持枠部１０内に設けられている台座１２の上面１１に確実に当接し、垂直方向の位置が決められる。
【００５６】
また、支持枠部１０内に設けられた台座１２は、その上面１１が中心方向に向かって下向き傾斜しており、水平方向に対するその傾斜角θ１は、錐形に形成されている液体用容器１００の底部１０３の傾斜角θ２と同じ或いは底部１０３の傾斜角θ２より大きい角度となっているので、液体用容器１００が収容している液体の重みにより底部１０３の底面に膨出方向への変形が働いても、底面が台座１２の上面１１に受けられて膨出方向への変形が阻止されることになる。これにより液体用容器１００の底部１０３の錐形の変形が抑えられ、その最深部Ｄの位置の変化も抑えられる。
【００５７】
次に、支持体２に支持させた液体用容器１００の外周に上部から蓋体４の筒壁部１４を嵌合する。蓋体４の筒壁部１４を液体用容器１００の外周に嵌合したとき、蓋体４の頂面部５に設けられている注出ポンプ７の吸い込み管６が、液体用容器１００の上面部１０１の中央に有する吸い出し口１０２を封止している封止シート１０６を破断して吸い出し口１０２から液体用容器１００内へ差し込まれる。
【００５８】
液体用容器１００へ蓋体４の筒壁部１４を、筒壁部１４の先端部３が支持体２に備えた支持枠部１０の上端部１５に当接するまで嵌合すると、蓋体４の筒壁部１４の先端部３と支持体２に備えた支持枠部１０の上端部１５と台座１２の上面１１とで構成される位置決め手段８により、液体用容器１００内へ差し込まれた注出ポンプ７の吸い込み管６の先端６ａが液体用容器１００の底部１０３の錐形内に位置決めされる。第１例では、吸い込み管６の先端６ａが液体用容器１００の底部１０３の錐形内の最深部Ｄに位置決めされる（図９参照）。
【００５９】
この状態から、注出ポンプ７を操作することにより、液体用容器１００内の液体は吸い込み管６から吸い込まれ、注出ノズル１７から吐出される。液体用容器１００内の液体は吸い込み管６から吸い込まれて減少し、そして液体用容器１００の底部１０３の錐形内に集まる。底部１０３の錐形内に集まった液体は、底部１０３の錐形内に位置する吸い込み管６の先端６ａから吸い込まれるので、注出後の液体用容器１００内に残存する液体を最少にすることができる。
【００６０】
図１０乃至図１２は、本発明に係る液体用容器からの液体注出装置の実施の形態の第２例を示すものであり、図１０は第２例の液体注出装置の分解断面図、図１１は図１０に示す液体注出装置における支持体を示す拡大斜視図、図１２は図１０に示す液体注出装置における支持体に支持された液体用容器の外周に嵌合した蓋体の先端部が支持体に係止した状態を示す説明図である。
【００６１】
第２例の液体注出装置１は、第１例の液体注出装置１と基本構成において変わるところはなく、第１例と同一の構成については同一の符号を付して説明する。
【００６２】
第２例と第１例との主な違いは、位置決め手段８の構成にある。
第２例では、支持体２は、図１１に示すように、第１例と同様、上部に収納口９を開口し、液体用容器１００の底部１０３を収納して液体用容器１００を垂直方向に支持する支持枠部１０と、支持枠部１０内に、支持枠部１０の内壁から中心方向へ突出するように設けられ、支持枠部１０に収納された液体用容器１００の底部１０３の外周端縁１０４を上面１１に当接させて支持する台座１２を備えている。第２例では、支持枠部１０の外面側には、蓋体４の先端部３に係止可能な係止段部１８が形成されている。
【００６３】
また、支持枠部１０は支持台１３の上面に液体用容器１００の外面に沿う複数の支持枠片１０ａを間隔を空けて立設した構成となっており、第２例では、支持台１３は外周が支持枠部１０の外面側に突出し、この突出部が係止段部１８となっている。
【００６４】
また、蓋体４は、筒壁部１４が液体用容器１００を支持している支持体２の支持枠部１０の外周に、液体用容器１００とともに嵌合可能となっており、筒壁部１４を液体用容器１００の外周に上部から嵌合し、更に支持体２の支持枠部１０の外周に嵌合したとき、その先端部３が支持枠部１０の外面側に形成されている係止段部１８に係止可能となっている。
【００６５】
そして、蓋体４の筒壁部１４の先端部３と支持体２に備えた支持枠部１０の外面側に形成されている係止段部１８と台座１２の上面１１とで、支持体２に支持された液体用容器１００の垂直方向に位置を、蓋体４の筒壁部１４を支持体２に支持されている液体用容器１００に上部から嵌合したとき、吸い込み管６の先端６ａが液体用容器１００の底部１０３の錐形内に位置するように位置決めする位置決め手段８を構成している。
【００６６】
さらに、第２例では、蓋体４の筒壁部１４の内面に、液体用容器１００の外周に嵌合したとき液体用容器１００の胴部１０７の外面に接触して保持する保持部１９が形成されている。保持部１９と液体用容器１００の胴部１０７の外面との接触は、内容物が消尽された液体用容器１００が蓋体４の筒壁部１４の開口部を下に向けても落下しない程度の摩擦力を生じる圧力をもって接触している。保持部１９にあっては、接触して保持できれば特に限定されないが、第２例ではリブにより形成されている。
【００６７】
このように構成された第２例の液体注出装置１による液体用容器１００からの液体の注出は次のようにして行われる。
先ず、第１例と同様に、支持体２に備えられている支持枠部１０に、内部に液体を収容した液体用容器１００の底部１０３を収納し、底部１０３の外周端縁１０４は支持枠部１０内に設けられている台座１２の上面１１に当接させ支持させる。
【００６８】
次に、支持体２に支持させた液体用容器１００の外周に上部から蓋体４の筒壁部１４を嵌合し、更に筒壁部１４を支持体２の支持枠部１０の外周に嵌合し、その先端部３が支持枠部１０の外面側に形成されている係止段部１８に当接するまで嵌合すると、蓋体４の筒壁部１４の先端部３と支持体２に備えた支持枠部１０の外面側に形成されている係止段部１８と台座１２の上面１１とで構成される位置決め手段８により、液体用容器１００内へ差し込まれた注出ポンプ７の吸い込み管６の先端６ａが液体用容器１００の底部１０３の錐形内の最深部Ｄに位置決めされる（図１２参照）。
【００６９】
この状態から、注出ポンプ７を操作することにより、液体用容器１００内の液体は吸い込み管６から吸い込まれ、注出ノズル１７から吐出される。
【００７０】
また、第２例では、蓋体４の筒壁部１４の内面に、液体用容器１００の外周に嵌合したとき液体用容器１００の胴部１０７の外面に接触して保持する保持部１９が形成されているので、液体用容器１００の外周に上部から蓋体４の筒壁部１４を嵌合することにより、液体用容器１００内へ差し込まれる注出ポンプ７の吸い込み管６は、液体用容器１００の底部１０３の錐形内の最深部Ｄに向かって確実に差し込まれることになり、注出ポンプ７の吸い込み管６の先端６ａを液体用容器１００の底部１０３の錐形内に確実に達せさせることができる。
その他の構成及び効果は第１例と同様なので、第１例を援用し、その説明を省略する。
【００７１】
図１３乃至図１５は、本発明に係る液体用容器からの液体注出装置の実施の形態の第３例を示すものであり、図１３は第３例の液体注出装置の分解断面図、図１４は図１３に示す液体注出装置における支持体を示す拡大斜視図、図１５は図１３に示す液体注出装置における支持体に支持された液体用容器の外周に嵌合した蓋体の先端部が支持体に係止した状態を示す説明図である。
【００７２】
第３例の液体注出装置１は、第１例の液体注出装置１と基本構成において変わるところはなく、第１例と同一の構成については同一の符号を付して説明する。
【００７３】
第３例と第２例、第１例との主な違いは、蓋体４及び位置決め手段８の構成にある。
第３例では、蓋体４は、弾性変形可能な材料で形成されており、筒壁部１４が液体用容器１００を支持している支持体２の支持枠部１０を上面に立設する支持台１３の外周に、液体用容器１００とともに嵌合可能となっている。
【００７４】
また、蓋体４の筒壁部１４の先端側の内側面に凸部２０が形成されており、また、支持台１３の外側面には、蓋体４の筒壁部１４を嵌合したとき、筒壁部１４の先端側の内側面に形成されている凸部２０が係脱可能な凹部２１が形成されている。
【００７５】
そして、蓋体４の筒壁部１４の先端側の内側面に形成されている凸部２０と支持台１３の外側面に形成されている凹部２１とで、支持体２に支持された液体用容器１００の垂直方向に位置を、蓋体４の筒壁部１４を支持体２に支持されている液体用容器１００に上部から嵌合したとき、吸い込み管６の先端６ａが液体用容器１００の底部１０３の錐形内に位置するように位置決めする位置決め手段８を構成している。
【００７６】
さらに、第３例では、蓋体４の筒壁部１４の内面に、第２例と同様に、液体用容器１００の外周に嵌合したとき、液体用容器１００の胴部１０７の外面に接触して保持する保持部１９が形成されている。
その他の構成は第１例と同様なので、第１例を援用し、その説明を省略する。
【００７７】
このように構成された第３例の液体注出装置１による液体用容器１００からの液体の注出は次のようにして行われる。
先ず、第１例、第２例と同様に、支持体２に備えられている支持枠部１０に、内部に液体を収容した液体用容器１００の底部１０３を収納し、底部１０３の外周端縁１０４は支持枠部１０内に設けられている台座１２の上面１１に当接させ支持させる。
【００７８】
次に、支持体２に支持させた液体用容器１００の外周に上部から蓋体４の筒壁部１４を嵌合し、更に筒壁部１４を支持体２の支持台１３の外周に嵌合する。このとき、筒壁部１４の先端側の内側面に形成されている凸部２０は支持体２の外周面の押圧により弾性変形し、支持台１３の外周への筒壁部１４の嵌合を可能にする。
そして、筒壁部１４の先端側の内側面に形成されている凸部２０が支持台１３の外側面に形成されている凸部２０に到達すると、弾性変形していた凸部２０が復元し支持台１３の外側面に形成されている凹部２１に係合する。
このようにして、筒壁部１４を支持台１３の外側面に、凸部２０が凹部２１に係合するまで嵌合すると、凸部２０と凹部２１とで構成される位置決め手段８により、液体用容器１００内へ差し込まれた注出ポンプ７の吸い込み管６の先端６ａが液体用容器１００の底部１０３の錐形内の最深部Ｄに位置決めされる（図１５参照）。
【００７９】
この状態から、注出ポンプ７を操作することにより、液体用容器１００内の液体は吸い込み管６から吸い込まれ、注出ノズル１７から吐出される。
その他の構成及び効果は第１例、第２例と同様なので、第１例を援用し、その説明を省略する。
【００８０】
なお、第１例、第２例では、支持体２に備えられている支持枠部１０は支持台１３の上面に液体用容器１００の外面に沿う複数の支持枠片１０ａを間隔を空けて立設した構成となっているが、筒状に構成されていてもよい。
また、液体用容器１００は、少なくとも、上面部１０１の中央に吸い出し口１０２を有し、底部１０３が中心を最深部Ｄとする錐形に形成されていればよい。
また、第１例、第２例では、液体用容器１００は紙素材で成形されているが、これに限定されるものではなく、樹脂素材で成形されていてもよく、また胴部１０７の形状にあっても、略正方形の筒状に限定されるものではなく、円筒状に形成されたものであってもよい。
【符号の説明】
【００８１】
１  液体注出装置
２  支持体
３  先端部
４  蓋体
５  頂面部
６  吸い込み管
６ａ  先端
７  注出ポンプ
８  位置決め手段
９  収納口
１０  支持枠部
１０ａ  支持枠片
１０Ａ  突出部分
１１  上面
１２  台座
１２ａ  台座片
１３  支持台
１４  筒壁部
１５  上端部
１６  筒状シリンダ部
１７  注出ノズル
１８  係止段部
１９  保持部
２０  凸部
２１  凹部
１００  液体用容器
１０１  上面部
１０２  吸い出し口
１０３  底部
１０４  外周端縁
１０５  シール部
１０６  封止シート
１０７  胴部
１０８、１０９，１１０  胴部縦折線
１１１、１１２、１１３、１１４  胴部パネル
１１５  シール縦折線
１１６  縦方向シールパネル
１１７、１１８  頂部横折線
１１９、１２０  上面部形成パネル
１２１  シールパネル
１２２、１２３  側面パネル
１２４、１２５  頂部横折線
１２６ａ、１２６ｂ  穴
１２７、１２８  底部横折線
１２９、１３０  切妻屋根形底部形成パネル
１３１、１３２  外側シールパネル
１３３、１３４  底部横折線
１３５、１３６  妻壁形底面形成パネル
１３７、１３８  内側シールパネル
Ｄ  最深部
【図１】
2019123530.tif 000003
【図２】
2019123530.tif 000004
【図３】
2019123530.tif 000005
【図４】
2019123530.tif 000006
【図５】
2019123530.tif 000007
【図６】
2019123530.tif 000008
【図７】
2019123530.tif 000009
【図８】
2019123530.tif 000010
【図９】
2019123530.tif 000011
【図１０】
2019123530.tif 000012
【図１１】
2019123530.tif 000013
【図１２】
2019123530.tif 000014
【図１３】
2019123530.tif 000015
【図１４】
2019123530.tif 000016
【図１５】
2019123530.tif 000017